(57)【要約】【課題】下のガイドレールのレール溝に人の足指などがはまり込みづらいし、つまずきにくく、そのレール溝内を清掃し易く、しかもパネル体を小さな圧力で移動できる建具とする。【解決手段】パネル体１の下部を下のガイドレール３でガイドした建具であって、前記下のガイドレール３は、段部１２を境として底面側部分３ａ―１と当該底面側部分３ａ−１よりも溝幅Ｈ２が小さい開口側部分３ａ−２を有するほぼ上向きコ字形状のレール溝３ａを有し、その開口側部分３ａ−１で前記パネル体１の下部のガイド部をガイドし、前記底面側部分３ａ―１に溝閉塞部材２０を設け、この溝閉塞部材２０の上部２１の幅Ｈ３を前記底面側部分３ａ−１の溝幅Ｈ１よりも小さく、かつ前記開口側部分３ａ−２の溝幅Ｈ２よりも大きくし、この溝閉塞部材２０の上面２０ａをレール溝３ａの実質的な底面として溝の深さを浅くできると共に、ゴミ等が溝閉塞部材２０の上面２０ａに溜まるようにした建具。【選択図】図３
2008106525.tif 000002
【特許請求の範囲】
【請求項１】
パネル体の下部を下のガイドレールでガイドした建具であって、
前記下のガイドレールは、段部を境として底面側部分と当該底面側部分よりも溝幅の小さい開口側部分を有する略上向きコ字形状のレール溝を有し、
前記開口側部分で前記パネル体の下部のガイド部をガイドし、
前記下のガイドレールのレール溝における底面側部分内に溝閉塞部材が設けてあり、
前記溝閉塞部材の上部の幅は、前記底面側部分の溝幅よりも小さく、かつ前記開口側部分の溝幅よりも大きいことを特徴とする建具。
【請求項２】
溝閉塞部材の上部の上面は上向き凹形状である請求項１記載の建具。
【請求項３】
溝閉塞部材は、上部の内、少なくとも幅方向両側部分が下部の材質よりも弾性変形し易い材質からなる請求項１又は２記載の建具。
【請求項４】
下のガイドレールは、そのレール溝の底面から固着具で固着して取付けられ、
溝閉塞部材の下部は一対の脚部を有し、その一対の脚部がレール溝の底面に固着具の頭部と干渉しないように接するようにした請求項１又は２又は３記載の建具。
【発明の詳細な説明】
【技術分野】
【０００１】
本発明は、建物の室内間仕切り等として用いる建具に関する。
【背景技術】
【０００２】
従来から種々の建具が知られている。例えば、特許文献１に開示された吊り戸が知られている。
この吊り戸は、戸の上部に設けたローラを天井側に設けた上のガイドレールに接することで、その戸の上部を上のガイドレールに沿って移動自在に吊り下げ支持し、前記戸の下部に設けた振れ止め部材を床部に設けた下のガイドレールのレール溝内に挿入して戸の下部が大きく振れ動かないように振れ止めしている。
【０００３】
【特許文献１】実公平５−２３７３５号公報
【発明の開示】
【発明が解決しようとする課題】
【０００４】
前述した従来の吊り戸に用いる下のガイドレールのレール溝は上向きコ字形状で、そのレール溝の底面を床部の床材取付部（例えば根太）に固着具で固着して取付けるので、そのレール溝の溝深さは床材の厚さに相当する程度に深いものである。
このように、レール溝が深いので人の足指などがレール溝内にはまり込み易く、つまずき易い。また、レール溝内の掃除が困難である。
【０００５】
前述のことを解消するために、前述した従来の吊り戸においては、下のガイドレールの開口部の両側を一対の突縁で若干閉塞し、そのレール溝内に弾性体とカバー体を設け、そのカバー体を前記突縁に接して開口部を閉塞し、戸の下部に設けた振れ止め部材がカバー体を押し下げてレール溝内に挿入するようにしている。
【０００６】
このようにすれば、人の足指などがレール溝内にはまり込むことがないし、つまづくこともなく、レール溝内の清掃も容易である。
しかし、振れ止め部材がカバー体を押し下げるので、振れ止め部材とカバー体の摺動抵抗が大きく、戸を移動するのに大きな力が必要となる。
【０００７】
本発明の目的は、人の足指などが下のガイドレールのレール溝内にはまり込みづらいし、つまずきにくく、レール溝内を清掃し易く、パネル体を小さな力で移動することが可能である建具を提供することである。
【課題を解決するための手段】
【０００８】
本発明は、パネル体の下部を下のガイドレールでガイドした建具であって、
前記下のガイドレールは、段部を境として底面側部分と当該底面側部分よりも溝幅の小さい開口側部分を有する略上向きコ字形状のレール溝を有し、
前記開口側部分で前記パネル体の下部のガイド部をガイドし、
前記下のガイドレールのレール溝における底面側部分内に溝閉塞部材が設けてあり、
前記溝閉塞部材の上部の幅は、前記底面側部分の溝幅よりも小さく、かつ前記開口側部分の溝幅よりも大きいことを特徴とする建具である。
【０００９】
本発明においては、溝閉塞部材の上部の上面は上向き凹形状とすることができる。
このようにすることで、溝閉塞部材の上面にゴミ等が溜まり易い。
【００１０】
本発明においては、溝閉塞部材は、上部の内、少なくとも幅方向両側部分が下部の材質よりも弾性変形し易い材質とすることができる。
このようにすれば、溝閉塞部材をレール溝の底面側部分に簡単に押し込んで設けることができると共に、レール溝から簡単に引き出して取り外しできる。
【００１１】
本発明においては、下のガイドレールは、そのレール溝の底面から固着具で固着して取付けられ、
溝閉塞部材の下部は一対の脚部を有し、その一対の脚部がレール溝の底面に固着具の頭部と干渉しないように接するようにできる。
このようにすれば、一対の脚部をレール溝の底面に、固着具の頭部と干渉しないように接して設けることができるので、溝閉塞部材を安定して設けることができる。
【発明の効果】
【００１２】
本発明によれば、下のガイドレールのレール溝の底面側部分に設けた溝閉塞部材の上面がレール溝の実質的な底面となるので、ガイドレールのレール溝の実質的な深さが浅くなる。
したがって、人の足指などが下のガイドレールのレール溝内にはまり込みづらいし、つまずきにくい。
また、開口側部分から入り込んだゴミ等は溝閉塞部材の上面に溜まり、底面側部分から底面までに入り込むことがないので、レール溝内を清掃し易い。
また、パネル体を小さな力で移動することが可能である。
【００１３】
また、溝閉塞部材の上部の幅方向両側部分がレール溝の底面側部分の左右の側面に接することがないので、レール溝内に設けられた状態において溝閉塞部材の上部が変形することがなく、溝閉塞部材はレール溝内で所定の形状を維持するから、前述した機能を損なうことがない。
【発明を実施するための最良の形態】
【００１４】
図１に示すように、戸、障子などのパネル体１の上部を、天井側等に取付けた上のガイドレール２に沿って移動自在に吊り下げ支持し、そのパネル体１の下部を床等に取付けた下のガイドレール３で振れ止めしながらガイドして吊り戸タイプの建具としてある。
例えば、図２に示すようにパネル体１の上部にローラ４を取付け、このローラ４を上のガイドレール２に接して移動自在に吊り下げ支持し、前記パネル体１の下部にガイド部としての振れ止め部材５を取付け、この振れ止め部材５を下のガイドレール３のレール溝内に挿入して振れ止めしながらガイドし、パネル体１を上下のガイドレール２，３に沿って直線状に移動自在とする。
なお、パネル体１を折り畳み自在とした折れ戸タイプの吊り戸でも良い。
【００１５】
前記下のガイドレール３は図３に示すように床部６の床材取付部６ａに固着具７で固着して取付けられ、そのガイドレール３のレール溝３ａの溝深さは床部材６ｂの厚さに相当する程度に深い。
前記下のガイドレール３のレール溝３ａは、図３に示すように左右の側面１０，１０と底面１１で上向きコ字形状で、その左右の側面１０間の寸法、つまりレール溝３ａの溝幅は、図４に示すように上下中間部を境として下部寄りの溝幅Ｈ１が上部寄りの溝幅Ｈ２よりも大きく、その境目部分には下向きの段部１２を有している。
つまり、レール溝３ａは下向きの段部１２を境として溝幅Ｈ１が大きい底面側部分３ａ−１と溝幅Ｈ２が小さい（Ｈ１＞Ｈ２）開口側部分３ａ―２を有する段付き形状である。
【００１６】
前記下のガイドレール３のレール溝３ａにおける底面側部分３ａ−１内には溝閉塞部材２０が設けてある。
この溝閉塞部材２０の上部２１の幅Ｈ３は、図４に示すように前記開口側部分３ａ−２の溝幅Ｈ２よりも大きく、底面側部分３ａ−１の溝幅Ｈ１よりも小さく、その上部２１の幅方向両側部分２２はレール溝３ａの段部１２の下方に位置している。
前記溝閉塞部材２０の上部２１における幅方向両側部分２２は下部２３の幅方向両側面２３ａよりも幅方向側方に突出し、この下部２３の幅Ｈ４は上部２１の幅Ｈ３よりも小さく、かつレール溝３ａの開口側部分３ａ―２の溝幅Ｈ２よりも小さい。
【００１７】
これによって、溝閉塞部材２０の上面２０ａがレール溝３ａの実質的な底面となるので、レール溝３ａの実質的な深さは開口側溝分３ａ−２の開口縁端面から溝閉塞部材２０の上面２０ａまでで浅くなる。
したがって、人の足指などが下のガイドレール３のレール溝３ａ内にはまり込みづらいし、つまづきにくい。
【００１８】
また、レール溝３ａの開口部（開口側部分３ａ−２）から入り込んだゴミ等は溝閉塞部材２０の上面２０ａに溜まり、レール溝３ａの底面１１まで入り込むことがないので、レール溝３ａ内を清掃し易い。
また、下のガイドレール３内に溝閉塞部材２０を設けただけで、部品点数が少なくコストが安いし、組立も容易である。
また、パネル体１の振れ止め部材５はレール溝３ａの開口側部分３ａ−２内に挿入して溝閉塞部材２０の上面２０ａと対向すれば良く、その上面２０ａに押しつける必要がないので、パネル体１を小さな力で移動することが可能である。
【００１９】
また、溝閉塞部材２０の上部２１の幅方向両側部分２２、下部２３の幅方向両側面２３ａがレール溝３ａの底面側部分３ａ−１の左右の側面１０に接することがないので、溝閉塞部材２０が変形することがなく、溝閉塞部材２０はレール溝３ａ内で変形することがなく、その溝閉塞部材２０はレール溝３ａ内で所定の形状を維持するから、前述した機能を損なうことがない。
【００２０】
次に、前記下のガイドレール３の具体形状を説明する。
図４に示すように、一対の縦片１３，１３の下部を連結片１４で一体的に連結すると共に、その一対の縦片１３の上部にフランジ１５を一体的に設けた断面形状で、図３に示すように連結片１４を固着具７で床材取付部６ａに固着し、各フランジ１５を床材６ｂに押しつけて取付けてある。
なお、下のガイドレール３の開口側部分３ａ―２は下から上まで同一溝幅であるが、下部よりも上部の溝幅が広い形状であっても良い。
【００２１】
次に、前記溝閉塞部材２０の具体形状を説明する。
図４に示すように、溝閉塞部材２０の上面２０ａは上向き凹形状である。例えば、幅方向中央部が低く、幅方向両側に向かうにつれて順次高くなった凹面形状である。
このようにすることで、溝閉塞部材２０の上面２０ａにゴミ等が溜まり易い。
【００２２】
また、閉塞部材２０は、上部２１の内、少なくとも幅方向両側部分２２が下部２３の材質よりも弾性変形し易い材質からなっている。
このようであるから、溝閉塞部材２０を下のガイドレール３のレール溝３ａ内に押し込む時に前述の幅方向両側部分２２が弾性変形するので、押し込みし易い。
また、図５に示すように溝閉塞部材２０をレール溝３ａ内に設けた状態から、その溝閉塞部材２０を長手方向一端部を持ち上げ、図６に示すように長手方向に順次引き上げるようにして取り外しできる。
また、下部２３は弾性変形し難い材質であるから、人が踏みつけた時などに溝閉塞部材２０全体がたわみ変形し難い。
【００２３】
前記溝閉塞部材２０の下部２３は、一対の脚片２４，２４で形成され、この一対の脚片２４と上部２１で断面ほぼ下向きハ字形状としてある。
このようであるから、図３に示すように一対の脚片２４を固着具７の頭部７ａと干渉しないように底面１１に接することができ、溝閉塞部材２０を安定して支持できる。
また、一対の脚片２４，２４は、下方に向かって広がるハ字形状に形成されているため、レール溝３ａ内において転ばずに安定した状態で設けることができる。
【００２４】
この実施の形態では、溝閉塞部材２０の上部２１の幅方向両側部分２２の厚さ（上下寸法）を上部２１の中央付近の厚さに比べて小さくしてより弾性変形し易くしてある。
さらに、幅方向両側部分２２の下面を斜面状にしているため、溝閉塞部材２０をレール溝３ａ内に押し込み易い。
また、下部２３よりも突出した幅方向両側部分２２のみを弾性変形し易い材質で作製することが困難であるので、上部２１を幅方向両側部分２２を有する上方部分（図４で斜線部分）と下方部分とから形成し、その上方部分を弾性変形し易い材質で作製するようにした。
このようにすることで、溝閉塞部材２０を弾性変形し易い軟質樹脂と弾性変形し難い硬質樹脂を用いて２色成形によって容易に成形できると共に、下部２３の一対の脚片２４，２４が上部２１の弾性変形し難い下方部分に一体的に形成されているため、一対の脚片２４，２４を安定した状態でレール溝３ａ内に設けることができる。
また、上方部分を摺動抵抗の小さい材質で作製することで、振れ止め部材５が仮に上部２１の上面に摺接するようなことがあっても、摺動抵抗を小さくすることができる。
前述の軟質樹脂としては、熱可塑性エラストマーなどが用いられる。
前述の硬質樹脂としてはポリプロピレン、ＡＢＳ樹脂などが用いられる。
【００２５】
前記下のガイドレール３は長尺一体であるが、その長尺な下のガイドレール３のレール溝３ａ内に複数の溝閉塞部材２０を長手方向に順次取付けるようにしても良い。
また、下のガイドレール３はアルミ押出形材としてあるが、これに限ることはない。
また、溝閉塞部材２０は樹脂製としてあるが、これに限ることはない。
また、上面２０ａを上向き凹形状としたが、これに限ることなく水平形状としても良い。
また、下部２３を一対の脚片２４，２４によりハ字形状で構成したが、コ字形状でも良いし、上部２０ａの下面及びレール溝３ａの底面１１との接触面積が大きな１つの脚部から構成しても良い。脚片を３つ以上設けても構わない。
また、下部２３の幅Ｈ４を上部２１の幅Ｈ３よりも小さくしたが、下部２３の幅Ｈ４の大きさを上部２１の幅Ｈ３以上にしても良いし、底面側部分３ａ−１の溝幅Ｈ１や開口側部分３ａ−２の溝幅Ｈ２以上にしても良い。
また、レール溝３ａを、開口側部分３ａ―２と開口側部分３ａ−２よりも溝幅が大きな底面側部分３ａ−１とで構成したが、少なくともこれらを有していれば良い。つまり、開口側部分３ａ−２の上方に開口側部分３ａ―２よりも幅が大きな部分（溝）も有するタイプ、開口側部分３ａ−２と底面側部分３ａ−１との間に開口側部分３ａ−２よりも幅が大きな部分（溝）も有するタイプ、底面側部分３ａ−１の下方に底面側部分３ａ−１よりも幅が小さい部分（溝）も有するタイプ、などであっても良い。
また、溝閉塞部材２０は、長尺なものを１本用いて構成しても良く、複数本を用いて構成しても良い。
また、実施の形態は吊り戸タイプの建具であるが、これに限らず引戸（パネル体）の下端に設けたガイド部である戸車がガイドレール上を走行することでガイドして引戸を開閉自在に移動するタイプや、引戸（パネル体）の下端面をガイド部として直接ガイドレール上面に摺接させることでガイドしてガイドレール上を引戸が走行するタイプ等の建具でも良い。つまり、本発明は建具のパネル体の移動時にパネル体の下部のガイド部が下のガイドレールでガイドされるものに適用可能である。
【図面の簡単な説明】
【００２６】
【図１】本発明の実施の形態を示す吊り戸タイプの建具の概略正面図である。
【図２】図１のＡ−Ａ拡大詳細断面図である。
【図３】下のガイドレール部分の拡大断面図である。
【図４】下のガイドレールと溝閉塞部材の断面図である。
【図５】溝閉塞部材を取付けた下のガイドレールの斜視図である。
【図６】下のガイドレールから溝閉塞部材の一部を引き出した状態の斜視図である。
【符号の説明】
【００２７】
１…パネル体、３…下のガイドレール、３ａ…レール溝、３ａ−１…底面側部分，３ａ−２…開口側部分、５…振れ止め部材（ガイド部材）、７…固着具、７ａ…頭部、１２…下向きの段部、２０…溝閉塞部材、２０ａ…上面、２１…上部、２２…幅方向両側部分、２３…下部、２４…脚部。
【図１】
2008106525.tif 000003
【図２】
2008106525.tif 000004
【図３】
2008106525.tif 000005
【図４】
2008106525.tif 000006
【図５】
2008106525.tif 000007
【図６】
2008106525.tif 000008